(57)【要約】【課題】中身の背部に接着された部位での背紙の破れを防止し得るホローバック本を提供する。【解決手段】複数の紙葉が背部において一体に接着されて構成された中身２と、中身２を包む表紙４と、中身２の背部を表紙４における対応部位に接着させる筒状の背紙３とを備え、背紙３は、偏平状態における幅が中身２の背部の幅と同等に設定されると共に、表紙４に対向する一方の片側３ａが表紙４に接着され、中身２の背部に対向する他方の片側３ｂがその背部に接着されている。【選択図】図４
2005225236.tif 000002
【特許請求の範囲】
【請求項１】
複数の紙葉が背部において一体に接着されて構成された中身と、当該中身を包む表紙と、前記中身の前記背部を前記表紙における対応部位に接着させる筒状の背紙とを備え、
前記背紙は、偏平状態における幅が前記背部の幅と同等に設定されると共に、前記表紙に対向する一方の片側が当該表紙に接着され、前記背部に対向する他方の片側が当該背部に接着されているホローバック本。
【請求項２】
ホローバック本用の表紙を非折曲状態で搬送経路の上流側に供給する表紙供給機構と、当該表示供給機構によって供給された前記表紙を前記搬送経路の下流側に向けて搬送する搬送機構と、前記搬送経路上を搬送される前記表紙の表面中央部分に前記ホローバック本用の中身における背部の幅と同等の幅で接着剤を塗布する接着剤塗布機構と、帯状の紙を前記背部の幅と同等の幅で偏平な筒状に連続的に成形する製袋機構と、当該製袋機構によって成形された前記筒状の紙を所定の長さに切断して背紙を作製する背紙作製機構と、前記接着剤塗布機構の下流側に配設されると共に前記表紙における前記接着剤が塗布された部位に前記背紙を貼り付ける背紙貼付機構とを備えている背紙貼付装置。
【請求項３】
前記背紙貼付機構は、前記表紙の搬送方向と直交する方向に沿った軸線を中心として回転自在で、かつ前記搬送経路上を搬送される当該表紙の前記表面に外周面が接触可能に配設されて、前記背紙作製機構によって作製された前記背紙をその外周面に吸着して当該搬送路上に搬送すると共に当該表紙の当該表面に貼り付ける吸着ドラムを有している請求項２記載の背紙貼付装置。
【発明の詳細な説明】
【技術分野】
【０００１】
本発明は、無線綴じ、アジロ綴じ、かがり仮製本等で製本された並製本に関し、特に、ホローバック本に関するものである。
【背景技術】
【０００２】
この種のホローバック本として、特開平１１−１７０７３２号公報に開示されたホローバック本が知られている。このホローバック本は、紙葉が背部で一体となった本文（中身）と、その本文を包む表紙と、本文の背部を表紙における対応部分に接合する背紙とを備え、この背紙が、本文の背部の幅よりも広幅で偏平な筒状に形成されると共に、その偏平な筒状の片側が表紙に貼り付けられ、反対側が本文に貼り付けられて構成されている。このホローバック本では、本文の背を表紙に接合するための背紙を偏平な筒状とし、その偏平な筒状の片側を表紙に貼り付けると共に反対側を本文に貼り付ける構成としたことにより、製本時に表紙を折り曲げた際に生じる背紙のたるみを偏平な筒状の両端に逃がすことができ、これによって、しわの発生を防止でき、背紙を本紙の背に対して均一に貼り付けることができ、外観が良く、かつ大きく開くことができるようになっている。さらに、しわ発生の問題を解消できるため、厚い強度の大きい背紙材を用いることができ、本の強度を大きくでき、また、筒状の背紙と表紙との接着面積を大きくできるので、この点からも製本強度を更に向上させることができるようになっている。
【特許文献１】特開平１１−１７０７３２号公報（第２−４頁）
【発明の開示】
【発明が解決しようとする課題】
【０００３】
ところが、このホローバック本には、以下の問題点がある。すなわち、このホローバック本では、背紙が本文の背部の幅よりも広幅で偏平な筒状に形成されている。このため、本文を閉じた状態において、本文の背部の角部により、表紙に接着された背紙の片側、およびその表紙が、背紙の長さ方向と平行な一対の折り目（山折り状の折り目）でほぼ直角に折り曲げられる。したがって、この背紙の片側およびこの背紙の片側が貼り付けられた表紙の部位は、背紙の長さ方向と直交する方向に沿った断面形状がコ字状に形成される。一方、このホローバック本１０１では、図７に示すように、本文（中身）１０２を開いた状態では、背紙１０３の片側１０３ａおよびこの背紙１０３が貼り付けられた表紙１０４の部位は、双方が接着されることによって全体として強度が増しているため、その断面形状がコ字状に折り曲がった状態に維持される。したがって、同図に示すように、本文（中身）１０２の一方側（同図中の左半分側）１０２ａと他方側（同図中の右半分側）１０２ｂは、断面コ字状の背紙１０３の片側１０３ａおよびこの背紙１０３が貼り付けられた表紙１０４の部位の各端部Ｘ、Ｘを支点として左右にほぼ水平な状態までそれぞれ傾けられる。したがって、本文１０２の一方側１０２ａおよび他方側１０２ｂの各背部が接近するため、本文１０２の背部に接着された背紙１０３のもう一方の片側１０３ｂは、同図に示すように、本文１０２の一方側１０２ａと他方側１０２ｂとの境界部位Ｙにおいて鋭角に折り曲げられる。この場合、この折り曲げられた部位に応力が集中するため、このホローバック本１０１には、鋭角に折り曲げられた一方の片側１０３ｂの境界部位Ｙで背紙１０３が破れ易いという解決すべき課題がある。
【０００４】
本発明は、上記の課題を解決すべくなされたものであり、中身の背部に接着された部位での背紙の破れを防止し得るホローバック本を提供することを主目的とする。また、中身の背部に接着された部位での背紙の破れを防止し得るホローバック本を製造するための背紙貼付装置を提供することを他の主目的とする。
【課題を解決するための手段】
【０００５】
上記目的を達成すべく請求項１記載のホローバック本は、複数の紙葉が背部において一体に接着されて構成された中身と、当該中身を包む表紙と、前記中身の前記背部を前記表紙における対応部位に接着させる筒状の背紙とを備え、前記背紙は、偏平状態における幅が前記背部の幅と同等に設定されると共に、前記表紙に対向する一方の片側が当該表紙に接着され、前記背部に対向する他方の片側が当該背部に接着されている。
【０００６】
上記目的を達成すべく請求項２記載の背紙貼付装置は、ホローバック本用の表紙を非折曲状態で搬送経路の上流側に供給する表紙供給機構と、当該表示供給機構によって供給された前記表紙を前記搬送経路の下流側に向けて搬送する搬送機構と、前記搬送経路上を搬送される前記表紙の表面中央部分に前記ホローバック本用の中身における背部の幅と同等の幅で接着剤を塗布する接着剤塗布機構と、帯状の紙を前記背部の幅と同等の幅で偏平な筒状に連続的に成形する製袋機構と、当該製袋機構によって成形された前記筒状の紙を所定の長さに切断して背紙を作製する背紙作製機構と、前記接着剤塗布機構の下流側に配設されると共に前記表紙における前記接着剤が塗布された部位に前記背紙を貼り付ける背紙貼付機構とを備えている。
【０００７】
また、請求項３記載の背紙貼付装置は、請求項２記載の背紙貼付装置において、前記背紙貼付機構は、前記表紙の搬送方向と直交する方向に沿った軸線を中心として回転自在で、かつ前記搬送経路上を搬送される当該表紙の前記表面に外周面が接触可能に配設されて、前記背紙作製機構によって作製された前記背紙をその外周面に吸着して当該搬送路上に搬送すると共に当該表紙の当該表面に貼り付ける吸着ドラムを有している。
【発明の効果】
【０００８】
請求項１記載のホローバック本によれば、偏平な状態における背紙の幅を背部の幅と同等に設定すると共に、背紙における表紙に対向する一方の片側を表紙に接着し、かつ背紙における中身の背部に対向する他方の片側をこの背部に接着したことにより、中身の背部に対向する表紙の部位（以下、「表紙の背」ともいう）が背紙の一方の片側によって補強されるため、中身を開いた状態においても、表紙の背は曲がりの少ない状態に維持される。このため、中身を左右に開いた状態では、中身の一方側（左側）および他方側（右側）が表紙の背の各端部（表紙の背の両側、つまり表紙の各折り目）を支点として倒れるものの、曲がりの少ない状態の表紙の背が、中身の一方側と他方側との境界部分を支点として、中身の一方側における端部（表紙の背における長さ方向に沿った一方の端部に接合する部位）と他方側の端部（表紙の背における長さ方向に沿った他方の端部に接合する部位）とを押し開く結果、中身の背部に接着された背紙の他方の片側も曲がりの少ない状態に維持される。したがって、このホローバック本によれば、鋭角に曲げられることに起因する応力の集中が、中身の背部に接着された背紙の他方の片側に生じないため、中身の背部と接着された他方の片側での背紙の破れを防止することができる。
【０００９】
また、請求項２記載の背紙貼付装置によれば、上記のように構成したことにより、接着剤塗布機構が、表紙の表面中央部分に中身の背部の幅と同等の幅で接着剤を自動的に塗布し、製袋機構が、帯状の紙から中身の背部の幅と同等の幅であって偏平な筒状の背紙を連続して作製し、背紙貼付機構が、表紙の表面中央部分に背紙を貼り付けることができる。このため、表面中央部分に中身の背部の幅と同等の幅であって偏平な筒状の背紙が貼り付けられた表紙を効率よく作製することができる。したがって、中身の背部がこの背部と同等の幅であって筒状に成形された背紙を介して表紙の中央部分に接着されたホローバック本についても、効率よく作製することができる。
【００１０】
さらに、請求項３記載の背紙貼付装置によれば、表紙の搬送方向と直交する方向に沿った軸線を中心として回転自在で、かつ搬送経路上を搬送される表紙の表面に外周面が接触可能に配設されて、背紙作製機構によって作製された背紙をその外周面に吸着して搬送経路上に搬送すると共に表紙の表面に貼り付ける吸着ドラムを有して背紙貼付機構を構成したことにより、背紙を表紙に吸着ドラムの回転方向側の先端側から徐々に接着させることができる。このため、背紙と表紙との間に気泡が残らないようにして背紙を表紙に接着することができる。
【発明を実施するための最良の形態】
【００１１】
以下、添付図面を参照して、本発明に係るホローバック本、およびこのホローバック本の製造において使用される本発明に係る背紙貼付装置について説明する。
【００１２】
最初に、ホローバック本１の構成について、図面を参照して説明する。
【００１３】
ホローバック本１は、図１，２に示すように、中身２、背紙（クーター）３および表紙４を備え、並製本として構成されている。中身２は、複数の紙葉５およびこれらの紙葉５を挟んで配設された一対の見返し６が背部（同図中の下端部）において、一体に接合されて構成されている。具体的には、同図に示すように、複数の紙葉５は、各々の下端部において接着剤７によって一体に接着されている。また、各見返し６は、各々の遊び紙６ａ側の下端部が、一体化された複数の紙葉５における下端部に接着剤８でそれぞれ接合されている。
【００１４】
背紙３は、例えば、クラフト紙（好ましくは、さらしクラフト紙）を用いて、図１，２に示すように、偏平な筒状に形成されて、中身２の背部を表紙４における対応部位に接着させる。また、背紙３は、図２に示すように、偏平な状態における幅Ｌ１が中身２の背部の幅と同等（ほぼ同じ）に設定されている。この場合、背紙３は、筒状に丸めた状態において互いに対向する縁部同士を接着するなどして単体で筒状状態を維持するように作製されている。ただし、この構成に限らず、少なくとも表紙４に接着された状態において筒状に形成されていればよい。したがって、背紙３は、筒状に丸めた単体の状態において、対向する縁部同士が必ずしも接着されていなくてもよい。この場合、後述するように、背紙３は、中身２を開いたときに、表紙４と対向する一方の片側３ａよりも、中身２の背部と対向する他方の片側３ｂ側に対して、より大きな応力が加わる。このため、背紙３は、その大きな応力に耐え得るように、その対向する各縁部が表紙４側に位置するように配設されるのが好ましい。表紙４は、中身２を包むためのものであって、例えば、特殊紙などの並製本用の紙を用いて作製されている。
【００１５】
以上の構成要素を用いてホローバック本１を作製する場合、まず、図２，３に示すように、表紙４における中身２の背部に対向する部位の表面、具体的には表紙４の中央部位（表紙の背）の表面に、中身２の背部の幅（つまり背紙３の幅）と同じ幅で接着剤９を直線状に塗布する。次いで、表紙４における接着剤９を塗布した部位に、背紙３の一方の片側３ａを貼り付ける（接着する）。この際に、その対向する各縁部が表紙４側を向くようにして背紙３を貼り付ける。続いて、接着剤１０を用いて、背紙３における他方の片側３ｂの表面に中身２の背部を接着する。最後に、中身２の各見返し６におけるきき紙６ｂを、対応する表紙４の各内面に不図示の接着剤を用いてそれぞれ接着する。これにより、ホローバック本１の作製が完了する。
【００１６】
このようにして作製されたホローバック本１では、背紙３の幅が中身２の背部と同幅に設定され、かつ背紙３の一方の片側３ａを接着することで表紙４の背が補強されている。このため、図４に示すように、中身２を左右に開いた状態では、中身２の一方側（左側）および他方側（右側）が表紙４の背の各端部Ｚ，Ｚ（表紙４の背の両側、つまり表紙の各折り目）を支点として左右に倒れる。この場合、曲がりの少ない状態の表紙４の背が、中身２の一方側と他方側との境界部位Ｙを支点として、中身２の一方側における端部（表紙４の背における長さ方向に沿った一方の端部Ｚに接合する部位）と他方側の端部（表紙４の背における長さ方向に沿った他方の端部Ｚに接合する部位）とを押し開く結果、中身２の背部に接着された背紙３の他方の片側３ｂも曲がりの少ない状態に維持される。したがって、このホローバック本１によれば、鋭角に曲げられることに起因する応力の集中が、中身２の背部に接着された背紙３の他方の片側３ｂに生じないため、背紙３における他方の片側３ｂを破れにくく形成することができる。この結果、中身２の背部と接着された他方の片側３ｂでの背紙３の破れを防止することができる。
【００１７】
続いて、上記したホローバック本１の特徴部分である背紙３の作製およびその表紙４への貼り付けを自動的に実行する背紙貼付装置２１について、図面を参照して説明する。
【００１８】
最初に、背紙貼付装置２１の構成について、図５，６を参照して説明する。
【００１９】
背紙貼付装置２１は、同図に示すように、表紙ストック機構２２、表紙供給機構２３、搬送機構２４、接着剤塗布機構２５、製袋機構２６、背紙作製機構２７、背紙貼付機構２８、プレス機構２９、およびこれらの各機構を連携させつつ駆動する駆動源（図示せず）を備え、表紙４の表面に背紙３を自動的に貼り付けるように構成されている。
【００２０】
表紙ストック機構２２は、図５に示すように、表紙４の搬送経路３１（同図中において一点鎖線で示す）の最上流位置に配設されて、複数の表紙４を非折曲状態でストックする。表紙供給機構２３は、表紙ストック機構２２の下流（搬送経路３１全体としてはその上流側に位置する）に配設されて、例えば、吸着機（図示せず）および複数の送りローラ２３ａを備えて構成されている。また、表紙供給機構２３は、駆動源によって駆動されることにより、表紙ストック機構２２から表紙４を一枚ずつ吸着して取り出すと共に、取り出した表紙４を送りローラ２３ａによって搬送経路３１の上流側（具体的には搬送機構２４上の搬送開始位置）に供給する。
【００２１】
搬送機構２４は、搬送経路３１における表紙供給機構２３の下流側に配設され、表紙供給機構２３によって供給された表紙４をほぼ水平な状態で搬送経路３１の下流側に向けて直線的に搬送する。この場合、表紙４は、図５，６中において矢印Ａで示す向きで搬送される。具体的には、搬送機構２４は、図５に示すように、表紙供給機構２３の下流側であって搬送経路３１の下方に配設された第１のスプロケット群２４ａ、搬送経路３１の中途部における下方に配設された第２のスプロケット群２４ｂ、複数のチェーン２４ｃ、複数の送り爪２４ｄ、および複数の支持ガイド２４ｅを備えている。第１のスプロケット群２４ａおよび第２のスプロケット群２４ｂは、図５，６に示すように、同一の水平な平面上に互いに平行に配設されると共に、一例としてそれぞれ４つのスプロケットＳＰを有している。各スプロケットＳＰは、それぞれの回転軸が搬送方向Ａと直交している。各チェーン２４ｃは、第１のスプロケット群２４ａおよび第２のスプロケット群２４ｂの対向する各スプロケットＳＰ間に架け渡されている。各送り爪２４ｄは、対応する各チェーン２４ｃに、表紙４の搬送方向Ａと直交する同一の直線上にそれぞれ位置するように取り付けられている。各支持ガイド２４ｅは、図６に示すように、各チェーン２４ｃ間に配設されて、搬送機構２４内において表紙４を搬送経路３１上で支持する。以上の構成を備えた搬送機構２４では、第１のスプロケット群２４ａおよび第２のスプロケット群２４ｂが駆動源によって図５中における反時計方向に連動して回転駆動されることにより、各送り爪２４ｄが、各チェーン２４ｃと共に無限軌道上を連続移動すると共に、図５中の上側の軌道上を移動するときに、支持ガイド２４ｅ上の表紙４を搬送方向Ａに沿って押動する。
【００２２】
接着剤塗布機構２５は、図５，６に示すように、搬送機構２４の下流側上方であってその中央部分に配設されると共に、接着剤を貯留するパレット２５ａ、および複数の接着剤ローラを含む接着剤ローラ群２５ｂを備えて構成されている。この場合、複数の接着剤ローラは、回転軸が表紙４の搬送方向Ａに対して直交する方向となるようにそれぞれ配設されると共に、図６に示すようにそれぞれの長さＬ２がホローバック本１における中身２の背部の幅と同等に（ほぼ等しく）設定されている。この構成により、接着剤塗布機構２５は、駆動源によって駆動されて、搬送経路３１上を搬送される表紙４の表面中央部分にホローバック本１の背部の幅（中身２の背部の幅）と同等の幅で接着剤９（図２，３参照）を直線的に塗布する。
【００２３】
製袋機構２６は、一対の送りローラ２６ａおよび複数のテンションローラ２６ｂ等を備えて構成されている。この製袋機構２６は、一対の送りローラ２６ａが駆動源によって駆動されることにより、紙ロール（具体的にはクラフト紙ロール）３２からクラフト紙３３（中身２の背部の幅の２倍を若干超える幅のクラフト紙）を帯状のまま繰り出すと共に、繰り出したクラフト紙をこの背部の幅と同等の幅の偏平な筒状に丸めて連続的に成形する。背紙作製機構２７は、カッター２７ａを備え、製袋機構２６によって筒状に成形されたクラフト紙をカッター２７ａで所定の長さ（具体的には、ホローバック本１の高さと同一の長さ、または若干短い長さ）に切断することにより、背紙３を連続的に作製して背紙貼付機構２８に供給する。
【００２４】
背紙貼付機構２８は、吸着ドラム２８ａ、複数（本例では５つ）のプーリ２８ｂ，２８ｃ，２８ｄ，２８ｅ，２８ｆおよび無端ベルト２８ｇを備え、搬送経路３１における接着剤塗布機構２５の下流側であって搬送経路３１の上方に配設されている。吸着ドラム２８ａは、表紙４の搬送方向Ａと直交する方向に沿った軸線を中心として回転自在で、かつ搬送経路３１上を搬送される表紙４の表面に外周面が接触可能に配設されている。また、吸着ドラム２８ａは、駆動源によって駆動されることにより、背紙３の長さ方向と吸着ドラム２８ａの周方向とが一致する状態で外周面に背紙３を吸着し、かつ吸着した背紙３を搬送経路３１に向けて搬送すると共に表紙４の表面に貼り付ける。この場合、吸着ドラム２８ａの回転速度は、外周面での周速度が搬送経路３１上での表紙４の搬送速度と一致するように設定されている。複数のプーリ２８ｂ〜２８ｆは、各々の軸線が吸着ドラム２８ａの軸線と平行になるように配設されている。プーリ２８ｂは、吸着ドラム２８ａの上部外周面に接触した状態で配設されている。プーリ２８ｃ，２８ｄは、吸着ドラム２８ａの上方であって、プーリ２８ｂに対して接着剤塗布機構２５寄りの位置において、表紙４の搬送方向Ａに沿って互いに前後した状態で配設されている。プーリ２８ｅは、プーリ２８ｃ，２８ｄの下方に配設されている。プーリ２８ｆは、吸着ドラム２８ａの下部外周面に接触した状態で配設されている。無端ベルト２８ｇは、３つのプーリ２８ｃ，２８ｄ，２８ｅに架け渡されて、吸着ドラム２８ａ側の部位が吸着ドラム２８ａにおける接着剤塗布機構２５側の外周面に面的に接触した状態で配設されている。この構成により、背紙貼付機構２８は、背紙作製機構２７から供給された背紙３を吸着ドラム２８ａとプーリ２８ｂとの間で挟持して取り込み、取り込んだ背紙３を無端ベルト２８ｇと吸着ドラム２８ａとの間で挟持しつつ搬送経路３１まで搬送して表紙４の表面に供給する。また、背紙貼付機構２８は、背紙３が載置された状態の表紙４を背紙３と共に吸着ドラム２８ａとプーリ２８ｆとの間で押圧しつつ、搬送経路３１の下流側に向けて送り出す。
【００２５】
プレス機構２９は、図５に示すように、搬送経路３１を挟んでその上側および下側にそれぞれ配設されたローラ群２９ａ，２９ｂ、および各ローラ群２９ａ，２９ｂにそれぞれ架け渡された一対の無端ベルト２９ｃ，２９ｄを備えて構成されている。プレス機構２９は、背紙貼付機構２８から送り出された背紙３および表紙４をさらに押圧しつつ搬送することにより、背紙３の表紙４への接着状態を一層高めると共に背紙３を再度偏平な状態に成形する。
【００２６】
次いで、背紙貼付装置２１による背紙３の表紙４への貼り付け動作について説明する。
【００２７】
この背紙貼付装置２１では、表紙供給機構２３が、表紙ストック機構２２から表紙４を一枚ずつ取り出して搬送機構２４に供給する。搬送機構２４は、送り爪２４ｄで表紙４の後端部を押し出すことによって表紙４を搬送方向Ａに搬送する。接着剤塗布機構２５は、搬送機構２４によって搬送される表紙４の表面中央部分に対して、中身２の背部の幅と同等の幅で接着剤９（図２，３参照）を直線的に塗布する。一方、製袋機構２６は、表紙供給機構２３による表紙４の供給タイミングに合わせて、紙ロール３２からクラフト紙３３を繰り出しつつ、繰り出したクラフト紙３３を、中身２の背部とほぼ同じ幅であって偏平な筒状に成形する。背紙作製機構２７は、表紙４の供給タイミングに合わせて、偏平な筒状に成形されたクラフト紙３３を所定の長さに切断して背紙３を作製し、作製した背紙３を背紙貼付機構２８に供給する。背紙貼付機構２８は、背紙３を吸着ドラム２８ａの外周面に吸着して搬送経路３１まで搬送する。また、背紙貼付機構２８は、背紙３を吸着ドラム２８ａと無端ベルト２８ｇとの間を通過させることにより、背紙３を円弧状に成形する。さらに、背紙貼付機構２８は、搬送経路３１上を搬送されて来る表紙４の表面における接着剤９の上に、吸着ドラム２８ａの回転方向側の先端側から背紙３を徐々に接着させる（貼り付ける）。これにより、背紙３と接着剤９との間に気泡が残らないようにして背紙３が表紙４に接着される。プレス機構２９は、背紙３が貼り付けられた表紙４を一対の無端ベルト２９ｃ，２９ｄ間で搬送しつつ、ローラ群２９ａとローラ群２９ｂとの間で背紙３および表紙４を押圧することにより、背紙３の表紙４への接着状態を高め、かつ背紙３を再度偏平な状態に成形しつつ、表紙４を背紙貼付装置２１から排出する。このようにして、ホローバック本１用の背紙３が接着された（貼り付けられた）表紙４の作製が完了する。
【００２８】
このように、この背紙貼付装置２１によれば、上記の各構成要素を備えたことにより、接着剤塗布機構２５が、表紙４の表面中央部分に中身２の背部の幅と同等の幅で接着剤９を直線的に自動的に塗布し、製袋機構２６が、帯状のクラフト紙３３から中身２の背部の幅と同等の幅であって偏平な筒状の背紙３を連続して自動的に作製し、背紙貼付機構２８が、表紙４の表面中央部分に背紙３を自動的に貼り付けることができる。このため、表面中央部分に中身２の背部の幅と同等の幅であって偏平な筒状の背紙３が貼り付けられた表紙４を効率よく作製することができる。したがって、中身２の背部がこの背部と同等の幅であって筒状に成形された背紙３を介して表紙４の中央部分に接着されたホローバック本１についても、効率よく作製することができる。また、吸着ドラム２８ａを用いて背紙３を接着することにより、背紙３を表紙４に吸着ドラム２８ａの回転方向側の先端側から徐々に接着させることができる結果、背紙３と表紙４との間に気泡が残らないようにして背紙３を表紙４に接着することができる。
【００２９】
なお、本発明は、上記した構成に限定されない。例えば、上記したホローバック本１では、特に、並製本の種類を限定しないで説明したが、無線綴じ、アジロ綴じ、かがり仮製本等で製本された並製本に適用できるのは勿論である。また、上記の構成では、表紙４を搬送するためにチェーン２４ｃを用いて搬送機構２４を構成したが、チェーン２４ｃに代えてベルトを用いて搬送機構を構成することもできる。
【図面の簡単な説明】
【００３０】
【図１】ホローバック本１を上面側から見た断面図である。
【図２】ホローバック本１の構成を示す分解平面図である。
【図３】ホローバック本１の構成を示す分解斜視図である。
【図４】中身２を開いた状態のホローバック本１を上面側から見た平面図である。
【図５】背紙貼付装置２１の正面図である。
【図６】背紙貼付装置２１の平面図である。
【図７】本文１０２を開いた状態の従来のホローバック本１０１を上面側から見た平面図である。
【符号の説明】
【００３１】
１  ホローバック本
２  中身
３  背紙
４  表紙
５  紙葉
２１  背紙貼付装置
２３  表紙供給機構
２４  搬送機構
２５  接着剤塗布機構
２６  製袋機構
２７  背紙作製機構
２８  背紙貼付機構
３１  搬送経路
３３  クラフト紙
【図１】
2005225236.tif 000003
【図２】
2005225236.tif 000004
【図３】
2005225236.tif 000005
【図４】
2005225236.tif 000006
【図５】
2005225236.tif 000007
【図６】
2005225236.tif 000008
【図７】
2005225236.tif 000009
【手続補正書】
【提出日】平成17年3月30日(2005.3.30)
【手続補正１】
【補正対象書類名】特許請求の範囲
【補正対象項目名】全文
【補正方法】変更
【補正の内容】
【特許請求の範囲】
【請求項１】
複数の紙葉が背部において一体に接着されて構成された中身と、当該中身を包む表紙と、前記中身の前記背部を前記表紙における対応部位に接着させる筒状の背紙とを備え、
前記背紙は、偏平状態における幅が前記背部の幅と同等に設定されると共に、前記表紙に対向する一方の片側が当該表紙に接着され、前記背部に対向する他方の片側が当該背部に接着されているホローバック本。
【手続補正２】
【補正対象書類名】明細書
【補正対象項目名】全文
【補正方法】変更
【補正の内容】
【発明の詳細な説明】
【技術分野】
【０００１】
本発明は、無線綴じ、アジロ綴じ、かがり仮製本等で製本された並製本に関し、特に、ホローバック本に関するものである。
【背景技術】
【０００２】
この種のホローバック本として、特開平１１−１７０７３２号公報に開示されたホローバック本が知られている。このホローバック本は、紙葉が背部で一体となった本文（中身）と、その本文を包む表紙と、本文の背部を表紙における対応部分に接合する背紙とを備え、この背紙が、本文の背部の幅よりも広幅で偏平な筒状に形成されると共に、その偏平な筒状の片側が表紙に貼り付けられ、反対側が本文に貼り付けられて構成されている。このホローバック本では、本文の背を表紙に接合するための背紙を偏平な筒状とし、その偏平な筒状の片側を表紙に貼り付けると共に反対側を本文に貼り付ける構成としたことにより、製本時に表紙を折り曲げた際に生じる背紙のたるみを偏平な筒状の両端に逃がすことができ、これによって、しわの発生を防止でき、背紙を本紙の背に対して均一に貼り付けることができ、外観が良く、かつ大きく開くことができるようになっている。さらに、しわ発生の問題を解消できるため、厚い強度の大きい背紙材を用いることができ、本の強度を大きくでき、また、筒状の背紙と表紙との接着面積を大きくできるので、この点からも製本強度を更に向上させることができるようになっている。
【特許文献１】特開平１１−１７０７３２号公報（第２−４頁）
【発明の開示】
【発明が解決しようとする課題】
【０００３】
ところが、このホローバック本には、以下の問題点がある。すなわち、このホローバック本では、背紙が本文の背部の幅よりも広幅で偏平な筒状に形成されている。このため、本文を閉じた状態において、本文の背部の角部により、表紙に接着された背紙の片側、およびその表紙が、背紙の長さ方向と平行な一対の折り目（山折り状の折り目）でほぼ直角に折り曲げられる。したがって、この背紙の片側およびこの背紙の片側が貼り付けられた表紙の部位は、背紙の長さ方向と直交する方向に沿った断面形状がコ字状に形成される。一方、このホローバック本１０１では、図７に示すように、本文（中身）１０２を開いた状態では、背紙１０３の片側１０３ａおよびこの背紙１０３が貼り付けられた表紙１０４の部位は、双方が接着されることによって全体として強度が増しているため、その断面形状がコ字状に折り曲がった状態に維持される。したがって、同図に示すように、本文（中身）１０２の一方側（同図中の左半分側）１０２ａと他方側（同図中の右半分側）１０２ｂは、断面コ字状の背紙１０３の片側１０３ａおよびこの背紙１０３が貼り付けられた表紙１０４の部位の各端部Ｘ、Ｘを支点として左右にほぼ水平な状態までそれぞれ傾けられる。したがって、本文１０２の一方側１０２ａおよび他方側１０２ｂの各背部が接近するため、本文１０２の背部に接着された背紙１０３のもう一方の片側１０３ｂは、同図に示すように、本文１０２の一方側１０２ａと他方側１０２ｂとの境界部位Ｙにおいて鋭角に折り曲げられる。この場合、この折り曲げられた部位に応力が集中するため、このホローバック本１０１には、鋭角に折り曲げられた一方の片側１０３ｂの境界部位Ｙで背紙１０３が破れ易いという解決すべき課題がある。
【０００４】
本発明は、上記の課題を解決すべくなされたものであり、中身の背部に接着された部位での背紙の破れを防止し得るホローバック本を提供することを主目的とする。
【課題を解決するための手段】
【０００５】
上記目的を達成すべく請求項１記載のホローバック本は、複数の紙葉が背部において一体に接着されて構成された中身と、当該中身を包む表紙と、前記中身の前記背部を前記表紙における対応部位に接着させる筒状の背紙とを備え、前記背紙は、偏平状態における幅が前記背部の幅と同等に設定されると共に、前記表紙に対向する一方の片側が当該表紙に接着され、前記背部に対向する他方の片側が当該背部に接着されている。
【発明の効果】
【０００６】
請求項１記載のホローバック本によれば、偏平な状態における背紙の幅を背部の幅と同等に設定すると共に、背紙における表紙に対向する一方の片側を表紙に接着し、かつ背紙における中身の背部に対向する他方の片側をこの背部に接着したことにより、中身の背部に対向する表紙の部位（以下、「表紙の背」ともいう）が背紙の一方の片側によって補強されるため、中身を開いた状態においても、表紙の背は曲がりの少ない状態に維持される。このため、中身を左右に開いた状態では、中身の一方側（左側）および他方側（右側）が表紙の背の各端部（表紙の背の両側、つまり表紙の各折り目）を支点として倒れるものの、曲がりの少ない状態の表紙の背が、中身の一方側と他方側との境界部分を支点として、中身の一方側における端部（表紙の背における長さ方向に沿った一方の端部に接合する部位）と他方側の端部（表紙の背における長さ方向に沿った他方の端部に接合する部位）とを押し開く結果、中身の背部に接着された背紙の他方の片側も曲がりの少ない状態に維持される。したがって、このホローバック本によれば、鋭角に曲げられることに起因する応力の集中が、中身の背部に接着された背紙の他方の片側に生じないため、中身の背部と接着された他方の片側での背紙の破れを防止することができる。
【発明を実施するための最良の形態】
【０００７】
以下、添付図面を参照して、本発明に係るホローバック本、およびこのホローバック本の製造において使用される背紙貼付装置について説明する。
【０００８】
最初に、ホローバック本１の構成について、図面を参照して説明する。
【０００９】
ホローバック本１は、図１，２に示すように、中身２、背紙（クーター）３および表紙４を備え、並製本として構成されている。中身２は、複数の紙葉５およびこれらの紙葉５を挟んで配設された一対の見返し６が背部（同図中の下端部）において、一体に接合されて構成されている。具体的には、同図に示すように、複数の紙葉５は、各々の下端部において接着剤７によって一体に接着されている。また、各見返し６は、各々の遊び紙６ａ側の下端部が、一体化された複数の紙葉５における下端部に接着剤８でそれぞれ接合されている。
【００１０】
背紙３は、例えば、クラフト紙（好ましくは、さらしクラフト紙）を用いて、図１，２に示すように、偏平な筒状に形成されて、中身２の背部を表紙４における対応部位に接着させる。また、背紙３は、図２に示すように、偏平な状態における幅Ｌ１が中身２の背部の幅と同等（ほぼ同じ）に設定されている。この場合、背紙３は、筒状に丸めた状態において互いに対向する縁部同士を接着するなどして単体で筒状状態を維持するように作製されている。ただし、この構成に限らず、少なくとも表紙４に接着された状態において筒状に形成されていればよい。したがって、背紙３は、筒状に丸めた単体の状態において、対向する縁部同士が必ずしも接着されていなくてもよい。この場合、後述するように、背紙３は、中身２を開いたときに、表紙４と対向する一方の片側３ａよりも、中身２の背部と対向する他方の片側３ｂ側に対して、より大きな応力が加わる。このため、背紙３は、その大きな応力に耐え得るように、その対向する各縁部が表紙４側に位置するように配設されるのが好ましい。表紙４は、中身２を包むためのものであって、例えば、特殊紙などの並製本用の紙を用いて作製されている。
【００１１】
以上の構成要素を用いてホローバック本１を作製する場合、まず、図２，３に示すように、表紙４における中身２の背部に対向する部位の表面、具体的には表紙４の中央部位（表紙の背）の表面に、中身２の背部の幅（つまり背紙３の幅）と同じ幅で接着剤９を直線状に塗布する。次いで、表紙４における接着剤９を塗布した部位に、背紙３の一方の片側３ａを貼り付ける（接着する）。この際に、その対向する各縁部が表紙４側を向くようにして背紙３を貼り付ける。続いて、接着剤１０を用いて、背紙３における他方の片側３ｂの表面に中身２の背部を接着する。最後に、中身２の各見返し６におけるきき紙６ｂを、対応する表紙４の各内面に不図示の接着剤を用いてそれぞれ接着する。これにより、ホローバック本１の作製が完了する。
【００１２】
このようにして作製されたホローバック本１では、背紙３の幅が中身２の背部と同幅に設定され、かつ背紙３の一方の片側３ａを接着することで表紙４の背が補強されている。このため、図４に示すように、中身２を左右に開いた状態では、中身２の一方側（左側）および他方側（右側）が表紙４の背の各端部Ｚ，Ｚ（表紙４の背の両側、つまり表紙の各折り目）を支点として左右に倒れる。この場合、曲がりの少ない状態の表紙４の背が、中身２の一方側と他方側との境界部位Ｙを支点として、中身２の一方側における端部（表紙４の背における長さ方向に沿った一方の端部Ｚに接合する部位）と他方側の端部（表紙４の背における長さ方向に沿った他方の端部Ｚに接合する部位）とを押し開く結果、中身２の背部に接着された背紙３の他方の片側３ｂも曲がりの少ない状態に維持される。したがって、このホローバック本１によれば、鋭角に曲げられることに起因する応力の集中が、中身２の背部に接着された背紙３の他方の片側３ｂに生じないため、背紙３における他方の片側３ｂを破れにくく形成することができる。この結果、中身２の背部と接着された他方の片側３ｂでの背紙３の破れを防止することができる。
【００１３】
続いて、上記したホローバック本１の特徴部分である背紙３の作製およびその表紙４への貼り付けを自動的に実行する背紙貼付装置２１について、図面を参照して説明する。
【００１４】
最初に、背紙貼付装置２１の構成について、図５，６を参照して説明する。
【００１５】
背紙貼付装置２１は、同図に示すように、表紙ストック機構２２、表紙供給機構２３、搬送機構２４、接着剤塗布機構２５、製袋機構２６、背紙作製機構２７、背紙貼付機構２８、プレス機構２９、およびこれらの各機構を連携させつつ駆動する駆動源（図示せず）を備え、表紙４の表面に背紙３を自動的に貼り付けるように構成されている。
【００１６】
表紙ストック機構２２は、図５に示すように、表紙４の搬送経路３１（同図中において一点鎖線で示す）の最上流位置に配設されて、複数の表紙４を非折曲状態でストックする。表紙供給機構２３は、表紙ストック機構２２の下流（搬送経路３１全体としてはその上流側に位置する）に配設されて、例えば、吸着機（図示せず）および複数の送りローラ２３ａを備えて構成されている。また、表紙供給機構２３は、駆動源によって駆動されることにより、表紙ストック機構２２から表紙４を一枚ずつ吸着して取り出すと共に、取り出した表紙４を送りローラ２３ａによって搬送経路３１の上流側（具体的には搬送機構２４上の搬送開始位置）に供給する。
【００１７】
搬送機構２４は、搬送経路３１における表紙供給機構２３の下流側に配設され、表紙供給機構２３によって供給された表紙４をほぼ水平な状態で搬送経路３１の下流側に向けて直線的に搬送する。この場合、表紙４は、図５，６中において矢印Ａで示す向きで搬送される。具体的には、搬送機構２４は、図５に示すように、表紙供給機構２３の下流側であって搬送経路３１の下方に配設された第１のスプロケット群２４ａ、搬送経路３１の中途部における下方に配設された第２のスプロケット群２４ｂ、複数のチェーン２４ｃ、複数の送り爪２４ｄ、および複数の支持ガイド２４ｅを備えている。第１のスプロケット群２４ａおよび第２のスプロケット群２４ｂは、図５，６に示すように、同一の水平な平面上に互いに平行に配設されると共に、一例としてそれぞれ４つのスプロケットＳＰを有している。各スプロケットＳＰは、それぞれの回転軸が搬送方向Ａと直交している。各チェーン２４ｃは、第１のスプロケット群２４ａおよび第２のスプロケット群２４ｂの対向する各スプロケットＳＰ間に架け渡されている。各送り爪２４ｄは、対応する各チェーン２４ｃに、表紙４の搬送方向Ａと直交する同一の直線上にそれぞれ位置するように取り付けられている。各支持ガイド２４ｅは、図６に示すように、各チェーン２４ｃ間に配設されて、搬送機構２４内において表紙４を搬送経路３１上で支持する。以上の構成を備えた搬送機構２４では、第１のスプロケット群２４ａおよび第２のスプロケット群２４ｂが駆動源によって図５中における反時計方向に連動して回転駆動されることにより、各送り爪２４ｄが、各チェーン２４ｃと共に無限軌道上を連続移動すると共に、図５中の上側の軌道上を移動するときに、支持ガイド２４ｅ上の表紙４を搬送方向Ａに沿って押動する。
【００１８】
接着剤塗布機構２５は、図５，６に示すように、搬送機構２４の下流側上方であってその中央部分に配設されると共に、接着剤を貯留するパレット２５ａ、および複数の接着剤ローラを含む接着剤ローラ群２５ｂを備えて構成されている。この場合、複数の接着剤ローラは、回転軸が表紙４の搬送方向Ａに対して直交する方向となるようにそれぞれ配設されると共に、図６に示すようにそれぞれの長さＬ２がホローバック本１における中身２の背部の幅と同等に（ほぼ等しく）設定されている。この構成により、接着剤塗布機構２５は、駆動源によって駆動されて、搬送経路３１上を搬送される表紙４の表面中央部分にホローバック本１の背部の幅（中身２の背部の幅）と同等の幅で接着剤９（図２，３参照）を直線的に塗布する。
【００１９】
製袋機構２６は、一対の送りローラ２６ａおよび複数のテンションローラ２６ｂ等を備えて構成されている。この製袋機構２６は、一対の送りローラ２６ａが駆動源によって駆動されることにより、紙ロール（具体的にはクラフト紙ロール）３２からクラフト紙３３（中身２の背部の幅の２倍を若干超える幅のクラフト紙）を帯状のまま繰り出すと共に、繰り出したクラフト紙をこの背部の幅と同等の幅の偏平な筒状に丸めて連続的に成形する。背紙作製機構２７は、カッター２７ａを備え、製袋機構２６によって筒状に成形されたクラフト紙をカッター２７ａで所定の長さ（具体的には、ホローバック本１の高さと同一の長さ、または若干短い長さ）に切断することにより、背紙３を連続的に作製して背紙貼付機構２８に供給する。
【００２０】
背紙貼付機構２８は、吸着ドラム２８ａ、複数（本例では５つ）のプーリ２８ｂ，２８ｃ，２８ｄ，２８ｅ，２８ｆおよび無端ベルト２８ｇを備え、搬送経路３１における接着剤塗布機構２５の下流側であって搬送経路３１の上方に配設されている。吸着ドラム２８ａは、表紙４の搬送方向Ａと直交する方向に沿った軸線を中心として回転自在で、かつ搬送経路３１上を搬送される表紙４の表面に外周面が接触可能に配設されている。また、吸着ドラム２８ａは、駆動源によって駆動されることにより、背紙３の長さ方向と吸着ドラム２８ａの周方向とが一致する状態で外周面に背紙３を吸着し、かつ吸着した背紙３を搬送経路３１に向けて搬送すると共に表紙４の表面に貼り付ける。この場合、吸着ドラム２８ａの回転速度は、外周面での周速度が搬送経路３１上での表紙４の搬送速度と一致するように設定されている。複数のプーリ２８ｂ〜２８ｆは、各々の軸線が吸着ドラム２８ａの軸線と平行になるように配設されている。プーリ２８ｂは、吸着ドラム２８ａの上部外周面に接触した状態で配設されている。プーリ２８ｃ，２８ｄは、吸着ドラム２８ａの上方であって、プーリ２８ｂに対して接着剤塗布機構２５寄りの位置において、表紙４の搬送方向Ａに沿って互いに前後した状態で配設されている。プーリ２８ｅは、プーリ２８ｃ，２８ｄの下方に配設されている。プーリ２８ｆは、吸着ドラム２８ａの下部外周面に接触した状態で配設されている。無端ベルト２８ｇは、３つのプーリ２８ｃ，２８ｄ，２８ｅに架け渡されて、吸着ドラム２８ａ側の部位が吸着ドラム２８ａにおける接着剤塗布機構２５側の外周面に面的に接触した状態で配設されている。この構成により、背紙貼付機構２８は、背紙作製機構２７から供給された背紙３を吸着ドラム２８ａとプーリ２８ｂとの間で挟持して取り込み、取り込んだ背紙３を無端ベルト２８ｇと吸着ドラム２８ａとの間で挟持しつつ搬送経路３１まで搬送して表紙４の表面に供給する。また、背紙貼付機構２８は、背紙３が載置された状態の表紙４を背紙３と共に吸着ドラム２８ａとプーリ２８ｆとの間で押圧しつつ、搬送経路３１の下流側に向けて送り出す。
【００２１】
プレス機構２９は、図５に示すように、搬送経路３１を挟んでその上側および下側にそれぞれ配設されたローラ群２９ａ，２９ｂ、および各ローラ群２９ａ，２９ｂにそれぞれ架け渡された一対の無端ベルト２９ｃ，２９ｄを備えて構成されている。プレス機構２９は、背紙貼付機構２８から送り出された背紙３および表紙４をさらに押圧しつつ搬送することにより、背紙３の表紙４への接着状態を一層高めると共に背紙３を再度偏平な状態に成形する。
【００２２】
次いで、背紙貼付装置２１による背紙３の表紙４への貼り付け動作について説明する。
【００２３】
この背紙貼付装置２１では、表紙供給機構２３が、表紙ストック機構２２から表紙４を一枚ずつ取り出して搬送機構２４に供給する。搬送機構２４は、送り爪２４ｄで表紙４の後端部を押し出すことによって表紙４を搬送方向Ａに搬送する。接着剤塗布機構２５は、搬送機構２４によって搬送される表紙４の表面中央部分に対して、中身２の背部の幅と同等の幅で接着剤９（図２，３参照）を直線的に塗布する。一方、製袋機構２６は、表紙供給機構２３による表紙４の供給タイミングに合わせて、紙ロール３２からクラフト紙３３を繰り出しつつ、繰り出したクラフト紙３３を、中身２の背部とほぼ同じ幅であって偏平な筒状に成形する。背紙作製機構２７は、表紙４の供給タイミングに合わせて、偏平な筒状に成形されたクラフト紙３３を所定の長さに切断して背紙３を作製し、作製した背紙３を背紙貼付機構２８に供給する。背紙貼付機構２８は、背紙３を吸着ドラム２８ａの外周面に吸着して搬送経路３１まで搬送する。また、背紙貼付機構２８は、背紙３を吸着ドラム２８ａと無端ベルト２８ｇとの間を通過させることにより、背紙３を円弧状に成形する。さらに、背紙貼付機構２８は、搬送経路３１上を搬送されて来る表紙４の表面における接着剤９の上に、吸着ドラム２８ａの回転方向側の先端側から背紙３を徐々に接着させる（貼り付ける）。これにより、背紙３と接着剤９との間に気泡が残らないようにして背紙３が表紙４に接着される。プレス機構２９は、背紙３が貼り付けられた表紙４を一対の無端ベルト２９ｃ，２９ｄ間で搬送しつつ、ローラ群２９ａとローラ群２９ｂとの間で背紙３および表紙４を押圧することにより、背紙３の表紙４への接着状態を高め、かつ背紙３を再度偏平な状態に成形しつつ、表紙４を背紙貼付装置２１から排出する。このようにして、ホローバック本１用の背紙３が接着された（貼り付けられた）表紙４の作製が完了する。
【００２４】
このように、この背紙貼付装置２１によれば、上記の各構成要素を備えたことにより、接着剤塗布機構２５が、表紙４の表面中央部分に中身２の背部の幅と同等の幅で接着剤９を直線的に自動的に塗布し、製袋機構２６が、帯状のクラフト紙３３から中身２の背部の幅と同等の幅であって偏平な筒状の背紙３を連続して自動的に作製し、背紙貼付機構２８が、表紙４の表面中央部分に背紙３を自動的に貼り付けることができる。このため、表面中央部分に中身２の背部の幅と同等の幅であって偏平な筒状の背紙３が貼り付けられた表紙４を効率よく作製することができる。したがって、中身２の背部がこの背部と同等の幅であって筒状に成形された背紙３を介して表紙４の中央部分に接着されたホローバック本１についても、効率よく作製することができる。また、吸着ドラム２８ａを用いて背紙３を接着することにより、背紙３を表紙４に吸着ドラム２８ａの回転方向側の先端側から徐々に接着させることができる結果、背紙３と表紙４との間に気泡が残らないようにして背紙３を表紙４に接着することができる。
【００２５】
なお、本発明は、上記した構成に限定されない。例えば、上記したホローバック本１では、特に、並製本の種類を限定しないで説明したが、無線綴じ、アジロ綴じ、かがり仮製本等で製本された並製本に適用できるのは勿論である。また、上記の構成では、表紙４を搬送するためにチェーン２４ｃを用いて搬送機構２４を構成したが、チェーン２４ｃに代えてベルトを用いて搬送機構を構成することもできる。
【図面の簡単な説明】
【００２６】
【図１】ホローバック本１を上面側から見た断面図である。
【図２】ホローバック本１の構成を示す分解平面図である。
【図３】ホローバック本１の構成を示す分解斜視図である。
【図４】中身２を開いた状態のホローバック本１を上面側から見た平面図である。
【図５】背紙貼付装置２１の正面図である。
【図６】背紙貼付装置２１の平面図である。
【図７】本文１０２を開いた状態の従来のホローバック本１０１を上面側から見た平面図である。
【符号の説明】
【００２７】
１  ホローバック本
２  中身
３  背紙
４  表紙
５  紙葉
２１  背紙貼付装置
２３  表紙供給機構
２４  搬送機構
２５  接着剤塗布機構
２６  製袋機構
２７  背紙作製機構
２８  背紙貼付機構
３１  搬送経路
３３  クラフト紙